(57)【要約】【課題】画像に施した後処理工程の内容を正確に把握することが出来る撮像装置を提供する。【解決手段】撮像装置は、撮像素子を備える。撮像素子で撮像して得られた画像信号に画像処理を施して画像データを生成する画像処理部を備える。画像処理部が、画像データに対して、画像データに対応した画像を加工する後処理を施した場合に、画像処理部は、画像データに、後処理を含む後処理工程の内容を有する後処理情報を添付した画像ファイルを記録部に記録する。【選択図】図３
2010268184.tif 000002
【特許請求の範囲】
【請求項１】
撮像素子と、
前記撮像素子で撮像して得られた画像信号に画像処理を施して画像データを生成する画像処理部とを備え、
前記画像処理部が、前記画像データに対して、前記画像データに対応した画像を加工する後処理を施した場合に、前記画像処理部は、前記画像データに、前記後処理を含む後処理工程の内容を有する後処理情報を添付した画像ファイルを記録部に記録することを特徴とする撮像装置。
【請求項２】
前記画像データに基づく画像を表示する表示部を更に備え、
前記画像処理部は、前記表示部に、前記画像ファイルに添付された後処理情報に含まれる前記後処理工程の内容を表示することを特徴とする請求項１に記載の撮像装置。
【請求項３】
前記画像処理部は、前記後処理工程の内容に基づいて、他の画像データに対して後処理を施すことを特徴とする請求項１に記載の撮像装置。
【請求項４】
前記画像処理部は、１回の後処理工程の中で、１回以上の後処理が可能であり、
前記後処理情報は、１回の後処理工程の中で行われる前記後処理を、他の後処理工程の中で行われる前記後処理と区別するための情報を含むことを特徴とする請求項３に記載の撮像装置。
【請求項５】
前記画像処理部は、前記後処理工程の内容に基づく後処理が施された前記他の画像データや前記後処理情報を含む画像ファイルを生成し、記録部に記録することを特徴とする請求項３に記載の撮像装置。
【請求項６】
前記後処理工程の内容を変更するために使用される操作部を更に備え、
前記画像処理部は、前記操作部を使って変更された前記後処理工程の内容を使って、前記他の画像データに対して後処理を施すことを特徴とする請求項３に記載の撮像装置。
【請求項７】
前記画像処理部は、前記後処理工程の内容に基づいて、後処理工程を経ていない他の画像データに対して後処理を施すことを特徴とする請求項１に記載の撮像装置。
【請求項８】
前記後処理情報は、後処理工程の為に前記記録部から読み出しされる前の画像ファイルの情報と、前記画像ファイルの読み出し後に行われた後処理工程の内容とを有することを特徴とする請求項１に記載の撮像装置。
【請求項９】
前記後処理は、デジタルフィルタ処理、リサイズ、トリミングの少なくとも１つであることを特徴とする請求項１に記載の撮像装置。
【請求項１０】
撮像素子で撮像して得られた画像信号に画像処理を施して生成された画像データと、
前記画像データに基づく画像を加工する後処理工程の内容を含む後処理情報とを備えることを特徴とする画像ファイル。
【発明の詳細な説明】
【技術分野】
【０００１】
本発明は、デジタルフィルタ処理などの後処理が可能な撮像装置に関し、特に、画像データ対して行った後処理工程の内容の確認に関する。
【背景技術】
【０００２】
特許文献１のように、撮像により得られた画像にデジタルフィルタ処理などの後処理工程を経て画像を加工する機能を有する撮像装置が提案されている。
【先行技術文献】
【特許文献】
【０００３】
【特許文献１】特開２０００−１８２０４４号公報
【発明の概要】
【発明が解決しようとする課題】
【０００４】
しかし、画像を見ただけでは、後処理工程を経た画像データに基づく画像であるか否かを判断することや、後処理工程の内容を正確に把握することが難しい場合が多い。特に、後処理において、複数のフィルタ処理を重ねた場合には、その内容を、画像を見ただけで後処理工程の内容を把握することは困難である。
【０００５】
したがって本発明の目的は、画像に施した後処理工程の内容を正確に把握することが出来る撮像装置または画像ファイルを提供することである。
【課題を解決するための手段】
【０００６】
本発明に係る撮像装置は、撮像素子と、撮像素子で撮像して得られた画像信号に画像処理を施して画像データを生成する画像処理部とを備え、画像処理部が、画像データに対して、画像データに対応した画像を加工する後処理を施した場合に、画像処理部は、画像データに、後処理を含む後処理工程の内容を有する後処理情報を添付した画像ファイルを記録部に記録する。
【０００７】
画像ファイルに、後処理工程の内容を含む後処理情報が添付されているため、かかる後処理情報を見れば、後処理工程の内容を正確に把握することが可能になる。
【０００８】
好ましくは、画像データに基づく画像を表示する表示部を更に備え、画像処理部は、表示部に、画像ファイルに添付された後処理情報に含まれる後処理工程の内容を表示する。
【０００９】
表示により、後処理工程の内容（履歴）を簡単に確認することが可能になる。
【００１０】
また、好ましくは、画像処理部は、後処理工程の内容に基づいて、他の画像データに対して後処理を施す。
【００１１】
後処理工程の内容で、他の画像データの後処理を施す再現処理を行うことにより、特定の後処理工程の内容を、他の画像データの後処理に反映させることが可能になる。
【００１２】
さらに好ましくは、画像処理部は、１回の後処理工程の中で、１回以上の後処理が可能であり、後処理情報は、１回の後処理工程の中で行われる後処理を、他の後処理工程の中で行われる後処理と区別するための情報を含む。
【００１３】
これにより、複数回の後処理工程に含まれる後処理（フィルタ処理）を一度に行う場合と、後処理（フィルタ処理）を複数回の後処理工程ごとに別々に行う場合とで、異なる画像が得られる場合を考慮した再現処理が可能になる。
【００１４】
また、好ましくは、画像処理部は、後処理工程の内容に基づく後処理が施された他の画像データや後処理情報を含む画像ファイルを生成し、記録部に記録する。
【００１５】
また、好ましくは、後処理工程の内容を変更するために使用される操作部を更に備え、画像処理部は、操作部を使って変更された後処理工程の内容を使って、他の画像データに対して後処理を施す。
【００１６】
また、好ましくは、画像処理部は、後処理工程の内容に基づいて、後処理工程を経ていない他の画像データに対して後処理を施す。
【００１７】
また、好ましくは、後処理情報は、後処理工程の為に記録部から読み出しされる前の画像ファイルの情報と、画像ファイルの読み出し後に行われた後処理工程の内容とを有する。
【００１８】
これにより、後処理情報として、１つの画像ファイルのメタデータ領域に書き込みされるデータ量を抑えることが可能になる。
【００１９】
また、好ましくは、後処理は、デジタルフィルタ処理、リサイズ、トリミングの少なくとも１つである。
【００２０】
本発明に係る画像ファイルは、撮像素子で撮像して得られた画像信号に画像処理を施して生成された画像データと、画像データに基づく画像を加工する後処理工程の内容を含む後処理情報とを備える。
【００２１】
画像ファイルに、後処理工程の内容を含む後処理情報が添付されているため、かかる後処理情報を見れば、後処理工程の内容を正確に把握することが可能になる。
【発明の効果】
【００２２】
以上のように本発明によれば、画像に施した後処理工程の内容を正確に把握することが出来る撮像装置または画像ファイルを提供することができる。
【図面の簡単な説明】
【００２３】
【図１】本実施形態における撮像装置の構成図である。
【図２】後処理を施す前の画像ファイルのファイル構造を示す図である。
【図３】撮影直後の画像処理において後処理を施した画像ファイルのファイル構造を示す図である。
【図４】後処理情報のファイル構造を示す図である。
【図５】記録部から読み出し、後処理を施した画像ファイルのファイル構造を示す図である。
【図６】第２操作に対応して表示される後処理工程の内容を示す図である。
【図７】第３操作に対応して表示されるフィルタ項目の詳細を含む後処理工程の内容を示す図である。
【図８】再現処理手順を示すフローチャートである。
【図９】総てのフィルタ処理の内容を後処理情報として有する形態における後処理情報のファイル構造を示す図である。
【図１０】後処理情報を、最新の第２工程が行われる前の画像データを含み記録部に記録された画像ファイルの情報と、該画像ファイルの読み出し後に行われた第２工程の内容とで構成される形態における後処理情報のファイル構造を示す図である。
【図１１】１回の後処理工程の中で行われるフィルタ処理を、他の後処理工程の中で行われるフィルタ処理と区別するための情報（フラグ）を有する形態における後処理情報のファイル構造を示す図である。
【発明を実施するための形態】
【００２４】
以下、本実施形態について、図を用いて説明する。本実施形態における撮像装置１０は、撮像素子１１、画像処理部１３、操作部１４、表示部１５、記録部１６、及びカメラ制御部１７を有するデジタルカメラである（図１参照）。
【００２５】
被写体からの反射光はレンズ（不図示）を介して入射し、撮像素子１１で撮像される。画像処理部１３は、撮像で得られた画像信号に所定の画像処理を施して画像データを生成し、画像データに対応する画像を表示部１５に表示する。また、画像処理部１３は、該画像データを含む画像ファイルを、記録部（記録媒体）１６に記録する。カメラ制御部１７は、画像処理部１３など撮像装置１０の各部の制御を行う。
【００２６】
また、使用者が操作部１４を使って所定の操作（第１操作）を行った場合に、画像処理部１３は、撮影直後の画像処理時に画像データに対してデジタルフィルタ処理を施し記録部１６に記録する、または、記録部１６に記録された画像ファイルを読み出し、読み出した画像データに対してデジタルフィルタ処理を施す。本実施形態では、画像データに対してデジタルフィルタ処理を施すことを、後処理と定義する。
【００２７】
次に、記録部１６に記録する画像ファイルの詳細について説明する。後処理を行わなかった場合、画像処理部１３は、画像データに、標準メタデータと、専用メタデータとして、撮像装置１０の機種名に対応するＩＤ番号：Ｍ、シリアル番号：Ｓ、通算撮影枚数：Ｒ、後処理工程回数：Ｎ（＝０）を添付した画像ファイルを生成し、該画像ファイルを記録部１６に記録する（図２参照）。
【００２８】
通算撮影枚数：Ｒは、撮像装置１０が製造されてから、レリーズスイッチをオン状態にして撮像動作を行った回数である。
【００２９】
後処理工程は、画像処理部１３が、撮像直後の画像処理時に画像データに対して後処理を１回以上施し、該１回以上の後処理の後に生成された新たな画像ファイルを記録部１６に記録する第１工程、及び画像処理部１３が、記録部１６に記録された画像ファイルを読み出し、読み出した画像ファイルに含まれる画像データに対して後処理を１回以上施し、該１回以上の後処理の後に生成された新たな画像ファイルを記録部１６に記録する第２工程であると定義し、後処理工程回数：Ｎは、第２工程の回数と定義する。
【００３０】
撮影直後に得られる画像ファイルは、第１工程が行われても行われなくても、後処理工程回数：Ｎが０に設定される（Ｎ＝０）。第２工程が行われる度に、すなわち、画像処理部１３が、記録部１６に記録された画像ファイルを読み出し、読み出した画像ファイルに含まれる画像データに後処理を１回以上施し、新たな画像ファイルとして記録部１６に記録する度に、後処理工程回数：Ｎの値がインクリメントされる。
【００３１】
撮影直後の画像処理で後処理を施した場合、すなわち第１工程が行われた場合、画像処理部１３は、画像データに、標準メタデータと、専用メタデータとして、ＩＤ番号：Ｍ、シリアル番号：Ｓ、通算撮影枚数：Ｒ、後処理工程回数：Ｎ（＝０）、及び後処理情報を添付した画像ファイルを生成し、該画像ファイルを記録部１６に記録する（図３参照）。
【００３２】
後処理情報は、後処理工程の内容として、デジタルフィルタ処理のフィルタ項目、フィルタ項目それぞれにおけるパラメータ種別、及びパラメータ種別それぞれにおけるパラメータ値を有する（図４参照）。複数回のデジタルフィルタ処理が行われた場合には、デジタルフィルタ処理を行った順に、フィルタ項目などが後処理情報として書き込まれる。
【００３３】
例えば、全体をぼかしたやわらかい画像に仕上げるデジタルフィルタ処理の場合、フィルタ項目：ソフト、フィルタ項目：ソフトに対応したパラメータ種別（ソフトフォーカス度合いとシャドーぼかし度合い）、及びパラメータ種別それぞれにおけるパラメータ値（ソフトフォーカス度合いに対応した数値と、シャドーぼかし度合いの有無）が書き込まれる。
【００３４】
また、古い写真のような画像に仕上げるデジタルフィルタ処理の場合、フィルタ項目：レトロ、フィルタ項目：レトロに対応したパラメータ種別（調色と縁取り）、及びパラメータ種別それぞれにおけるパラメータ値（調色の度合いに対応した数値や、縁取りの度合いや有無に対応した数値）が書き込まれる。
【００３５】
従って、撮影直後の画像処理で、最初にフィルタ項目：ソフトに対応したデジタルフィルタ処理を施し、次にフィルタ項目：レトロに対応したデジタルフィルタ処理を施した場合には、後処理情報として、１回目のフィルタ処理のフィルタ項目に“ソフト”、パラメータ種別１−（１）に“ソフトフォーカス度合い”、パラメータ種別１−（２）に“シャドーぼかし度合い”、１−（１）のパラメータ値に“ソフトフォーカス度合いに対応した数値”、１−（２）のパラメータ値に“シャドーぼかしの有無”が書き込まれ、２回目のフィルタ処理のフィルタ項目に“レトロ”、パラメータ種別２−（１）に“調色”、パラメータ種別２−（２）に“縁取り”、２−（１）のパラメータ値に“調色度合いに対応した数値”、２−（２）のパラメータ値に“縁取りの度合いや有無に対応した数値”が書き込まれる。
【００３６】
記録部１６から画像ファイルを読み出し、読み出した画像ファイルに含まれる画像データに後処理を施した場合、すなわち第２工程が行われた場合、画像処理部１３は、画像データに、標準メタデータと、専用メタデータとして、ＩＤ番号：Ｍ、シリアル番号：Ｓ、通算撮影枚数：Ｒ、後処理工程回数：Ｎ（≧０）、元画像ファイルの情報、及び後処理情報を添付した画像ファイルを生成し、該画像ファイルを記録部１６に記録する（図５参照）。
【００３７】
元画像ファイルは、後処理を施すために記録部１６から読み出しされた画像ファイル、すなわち最新の後処理工程（第２工程）が行われる前の画像データを含む画像ファイルである。元画像ファイルの情報として、元画像ファイルのフォルダ番号：Ｆ１、ファイル番号：Ｆ２、及びファイル種別ＩＤ：Ｆ３を有する。ＤＣＦ（Design rule for Camera
File system）規格など特定の規格に準拠したフォルダやファイルの構成である場合には、フォルダ名（またはファイル名）の少なくとも一部が、フォルダ番号：Ｆ１（またはファイル番号：Ｆ２）に含まれていれば、フォルダ名やファイル名を特定することが出来る。ファイル種別ＩＤ：Ｆ３は、画像ファイルのファイル形式に関連する情報である（例えば、ＪＰＥＧ形式の場合にＪＰＧなど）。
【００３８】
例えば、図２で示されるファイル構造を有する元画像ファイル（フォルダ名：１００ＡＢＣＤＥ、ファイル名：ＩＭＧＰ０００１．ＪＰＧ）の画像データが、１回の後処理工程（第２工程）を経た場合には、図５に示されるファイル構造を有する画像ファイル、すなわち、機種名ＩＤ：Ｍ、シリアル番号：Ｓ、及び通算撮影枚数：Ｒが、元画像ファイルと同じ値で、後処理工程回数：Ｎ＝１、元画像フォルダ番号：Ｆ１＝１００、元画像ファイル番号：Ｆ２＝０００１、元画像ファイル種別：Ｆ３＝ＪＰＧと、後処理工程の内容を示す後処理情報を有する専用メタデータと、後処理後の画像データを含む画像ファイルが生成される。
【００３９】
本実施形態では、専用メタデータの後処理情報が、後処理工程（第１、第２工程）の内容の表示、及び該後処理工程の内容に沿って施す別の画像データへの後処理に使用される。
【００４０】
具体的には、後処理工程（第１、第２工程）を経た画像データに基づく画像が表示部１５に表示された状態で、使用者が操作部１４を使って所定の操作（第２操作）を行った場合に、画像処理部１３は、表示中の画像に対応する画像ファイルの後処理工程の内容を、オンスクリーン表示する（図６、及び図８のステップＳ３８参照）。オンスクリーン表示では、後処理工程の中で行われたフィルタ処理のフィルタ項目が、使用者がフィルタ項目を選択した順に並べて表示される。例えば、最初に、フィルタ項目：ソフトに対応したデジタルフィルタ処理を施し、次にフィルタ項目：レトロに対応したデジタルフィルタ処理を施した場合には、１回目のフィルタ項目の欄にフィルタ項目：ソフトに対応したアイコンが表示され、２回目のフィルタ項目の欄にフィルタ項目：レトロに対応したアイコンが表示され、３回目以降のフィルタ項目の欄は空白にされる。
【００４１】
また、画像処理部１３は、図６のように後処理工程の内容が表示された状態で、使用者が操作部１４を使って、アイコン表示されたフィルタ項目を選択する等、所定の操作（第３操作）を行った場合に、フィルタ項目の一覧表示に加えて、選択されたフィルタ項目の詳細（パラメータ種別ごとのパラメータ値）を、オンスクリーン表示する（図７、及び図８のステップＳ４０参照）。図７は、２回目のフィルタ処理のフィルタ項目が選択された場合の表示例を示す。
【００４２】
また、画像処理部１３は、図６または図７のような後処理工程の内容が表示された状態で、使用者が操作部１４を使って所定の操作（第４操作）を行った場合に、後処理工程を経ていない画像データの中から選択されたものに対して、表示中の後処理工程の内容と同じ後処理を施す（図８のステップＳ４７参照）。以下、かかる後処理を再現処理と定義する。
【００４３】
なお、第４操作において、後処理工程の内容に含まれるパラメータ値を変える操作を行い、変更した後のパラメータ値を使って再現処理を行っても良い（図８のステップＳ４６参照）。
【００４４】
次に、再現処理の手順を、図８のフローチャートを用いて説明する。使用者が操作部１４を使って、記録部１６に記録された画像ファイルの１つを表示部１５に表示させ、後処理の項目を選択するためのメニュー表示指示を行うと、かかる再現処理手順が開始され、ステップＳ３１で、画像処理部１３は、表示中の画像に対応した画像ファイルに含まれる標準メタデータや専用メタデータを読み込む。
【００４５】
ステップＳ３２で、画像処理部１３は、読み込んだ標準メタデータ、専用メタデータなどに基づいて、表示中の画像に対応する画像ファイルが、後処理可能なものであるか否かを判断する。具体的には、画像処理部１３は、異なる機種で撮像して得られた画像ファイル、動画ファイルなど、画像処理部１３で行う後処理の対象として想定していないファイルを、後処理不可能なものとして除外する。後処理不可能であると判断した場合には、ステップＳ３３に進められ、後処理可能と判断した場合には、ステップＳ３４に進められる。
【００４６】
ステップＳ３３で、画像処理部１３は、表示中の画像に対応する画像ファイルは、撮像装置１０における後処理の対象に出来ない旨を示すメッセージを表示部１５に表示し、再現処理手順を終了する。
【００４７】
ステップＳ３４で、画像処理部１３は、読み込んだ専用メタデータに基づいて、表示中の画像に対応するファイルに含まれる画像データが後処理工程（第１、第２工程）を経たものであるか否かを判断する。具体的には、画像処理部１３は、専用メタデータに、後処理情報が含まれるか否かを判断する。後処理情報が含まれる場合には、後処理工程を経た画像データであるとして、ステップＳ３５に進められる。後処理情報が含まれない場合には、後処理工程を経ていない画像データであるとして、ステップＳ３６に進められる。
【００４８】
ステップＳ３５で、画像処理部１３は、表示部１５に、処理項目を選択するためのメニューを表示する。メニュー表示では、後処理の設定操作の終了、後処理後の画像ファイルに含まれる画像データについて更なる後処理、及び元画像ファイルの再現処理のいずれかが選択可能な状態にされる。
【００４９】
メニュー表示において、使用者が操作部１４を使って、後処理の設定操作を終了させる指示を行った場合には、再現処理手順を終了する。後処理後の画像ファイルに含まれる画像データについてさらに後処理を行う指示を行った場合には、ステップＳ３６に進められる。元画像ファイルの再現処理指示（第２操作）を行った場合には、ステップＳ３８に進められる。
【００５０】
ステップＳ３６で、画像処理部１３は、表示中の画像に対応する画像データについて、具体的な後処理の内容（フィルタ項目、パラメータ種別ごとのパラメータ値）を設定する画面表示を行う。使用者は、かかる画面表示を見ながら、操作部１４を使って、後処理の内容を設定する（第１操作）。ステップＳ３７で、設定された後処理の内容に従って、画像データに対して後処理工程（第２工程）が行われ、後処理工程（第２工程）を経た画像データや後処理情報を含む新たな画像ファイルが生成され、記録部１６に記録される。また、後処理工程（第２工程）を経た画像データに基づく画像が表示部１５に表示され、再現処理手順を終了する。
【００５１】
ステップＳ３８で、画像処理部１３は、表示中の画像に対応する画像データに対して行われた後処理工程の内容（フィルタ項目）を、表示中の画像の上にオンスクリーン表示する（図６参照）。ステップＳ３９で、画像処理部１３（またはカメラ制御部１７）は、使用者が操作部１４を使って、アイコン表示されたフィルタ項目を選択する等、選択したフィルタ項目の詳細（パラメータ種別ごとのパラメータ値）を表示させるための第３操作を行ったか否か、及び再現処理を行うための第４操作を行ったか否かを判断する。
【００５２】
第３操作が行われた場合には、ステップＳ４０で、画像処理部１３は、フィルタ項目の表示に加え、選択されたフィルタ項目の詳細（パラメータ種別ごとのパラメータ値）を、表示中の画像の上にオンスクリーン表示する（図７参照）。その後、ステップＳ３９に戻される。
【００５３】
第４操作が行われた場合には、ステップＳ４１で、画像処理部１３は、記録部１６に、後処理工程（第１、第２工程）を経ていない画像データを含む画像ファイルがあるか否かを判断する。無い場合には、ステップＳ４２で、画像処理部１３は、再現処理を行う対象となる画像データを含む画像ファイルが、記録部１６に存在しない旨を示すメッセージを表示部１５に表示し、再現処理手順を終了する。ある場合には、ステップＳ４３に進められる。
【００５４】
ステップＳ４３で、画像処理部１３は、再現処理が可能な画像データを含む画像ファイル、すなわち後処理工程を経ていない画像データを含む画像ファイルの１つを表示部１５に表示し、再現処理を行う対象となる画像データを含む画像ファイルが選択可能な状態にする。
【００５５】
ステップＳ４４で、画像処理部１３（またはカメラ制御部１７）は、使用者が操作部１４を使って、再現処理を行う対象となる画像データを含む画像ファイルの決定がされたか否かを判断する。決定された場合には、ステップＳ４５に進められる。決定されず、後処理工程の内容を表示する画面に戻す操作が行われた場合には、ステップＳ３８に戻される。
【００５６】
ステップＳ４５で、画像処理部１３（またはカメラ制御部１７）は、再現処理に含まれるフィルタ項目やパラメータ種別ごとのパラメータ値を変更する選択操作が行われたか否かを判断する。行われた場合には、ステップＳ４６に進められ、パラメータ値を変更しない選択操作が行われた場合には、ステップＳ４７に進められる。
【００５７】
ステップＳ４６で、画像処理部１３は、パラメータ値を変更するための画面表示（例えば図７）を行う。使用者は、かかる画面表示を見ながら、操作部１４を使って、フィルタ項目、及びパラメータ種別ごとのパラメータ値を設定する。
【００５８】
ステップＳ４７で、選択された画像ファイルに含まれる画像データに対して、再現処理が施され、再現処理が施された画像データや後処理情報を含む新たな画像ファイルが生成され、記録部１６に記録される。ステップＳ４６で、パラメータ値が変更された場合には、変更されたパラメータ値に基づいて、再現処理が施される。
【００５９】
ステップＳ４８で、再現処理が施された後の画像データに基づく画像が表示部１５に表示され、再現処理手順を終了する。
【００６０】
表示部１５に表示された画像を見ただけでは、後処理工程を経た画像データに基づく画像であるか否かを判断することや、後処理工程の内容を正確に把握することが難しい場合が多い。特に、後処理において、複数のフィルタ処理を重ねた場合には、その内容を、画像を見ただけで後処理工程の内容を把握することは困難である。
【００６１】
本実施形態では、画像ファイルに、後処理工程の内容を含む後処理情報が添付されているため、かかる後処理情報を見れば、後処理工程の内容を正確に把握することが可能になる。特に、第２操作に対応して、表示中の画像に対応する画像データに対して行われた後処理工程の内容（フィルタ項目）を表示することにより、後処理工程の内容（履歴）を簡単に確認することが可能になる。また、専用メタデータに含まれる後処理情報を読み出しするアプリケーションソフトをインストールしたパソコン上でも、後処理工程の内容を確認することが可能になる。
【００６２】
また、第３操作に対応して、後処理の詳細な内容（選択されたフィルタ項目やパラメータ種別ごとのパラメータ値）を表示する。これにより、表示中の画像に対応する画像データに対して行われた後処理工程の詳細を確認することが可能になる。
【００６３】
また、後処理工程の内容に沿って、後処理工程を経ていない画像データに対して後処理工程を行う再現処理により、特定の後処理工程の内容を、他の画像データの後処理に反映させることが可能になる。
【００６４】
なお、本実施形態では、後処理情報が、後処理工程の内容として、それぞれのフィルタ処理におけるフィルタ項目、パラメータ種別、及びパラメータ値を有する形態を説明した（図９参照）が、この場合、メタデータ領域として使用できるファイルフォーマットの容量により、書き込み出来るフィルタ処理の回数が制限される可能性がある。このため、後処理情報を、後処理工程（第２工程）の為に記録部１６から読み出しされる前の画像ファイル（最新の第２工程が行われる前の画像データを含み記録部１６に記録された画像ファイル）の情報（フォルダ番号、ファイル番号など）と、該画像ファイルの読み出し後に行われた第２工程の内容とで構成される形態であってもよい（図１０参照）。この場合、最新の第２処理を行う前の画像ファイルが総て記録部１６に記録されている必要があるが、１つの画像ファイルのメタデータ領域に書き込みされるデータ量を抑えることが可能になる。
【００６５】
例えば、１回目の後処理処理工程で２回のフィルタ処理（１、２回目のフィルタ処理）を行い、２回目の後処理工程で２回のフィルタ処理（３、４回目のフィルタ処理）を行い、３回目の後処理工程で１回のフィルタ処理（５回目のフィルタ処理）を行った場合、２回目の後処理工程の後に記録される画像ファイルの後処理情報には、１回目の後処理工程の後に記録される画像ファイルの情報と、２回目の後処理工程（３、４回目のフィルタ処理）の内容が含まれ、３回目の後処理工程の後に記録される画像ファイルの後処理情報には、２回目の後処理工程の後に記録される画像ファイルの情報と、３回目の後処理工程（５回目のフィルタ処理）の内容が含まれる。
【００６６】
また、後処理情報が、１回の後処理工程の中で行われるフィルタ処理を、他の後処理工程の中で行われるフィルタ処理と区別するための情報（フラグ）を設ける形態であってもよい。例えば、１回目の後処理工程で２回のフィルタ処理（１、２回目のフィルタ処理）を行い、２回目の後処理工程で２回のフィルタ処理（３、４回目のフィルタ処理）を行い、３回目の後処理工程で１回のフィルタ処理（５回目のフィルタ処理）を行った場合には、３回目のフィルタ処理のフィルタ項目の前に、２回目の後処理工程であることを示すフラグを付け、５回目のフィルタ処理のフィルタ項目の前に、３回目の後処理工程であることを示すフラグを付ける形態が考えられる（図１１参照）。これにより、複数回の後処理工程に含まれるフィルタ処理を一度に行う場合と、フィルタ処理を複数回の後処理工程ごとに別々に行う場合とで、異なる画像が得られる場合を考慮した再現処理が可能になる。
【００６７】
本実施形態では、後処理がデジタルフィルタ処理であるとして説明したが、画像データに対応した画像を加工する他の処理（リサイズやトリミングなど）であってもよい。
【符号の説明】
【００６８】
１０  撮像装置
１１  撮像素子
１３  画像処理部
１４  操作部
１５  表示部
１６  記録部
１７  カメラ制御部
【図１】
2010268184.tif 000003
【図２】
2010268184.tif 000004
【図３】
2010268184.tif 000005
【図４】
2010268184.tif 000006
【図５】
2010268184.tif 000007
【図６】
2010268184.tif 000008
【図７】
2010268184.tif 000009
【図８】
2010268184.tif 000010
【図９】
2010268184.tif 000011
【図１０】
2010268184.tif 000012
【図１１】
2010268184.tif 000013